(57)【要約】【課題】生地を傷めにくい長さ調節具を提供する。【課題手段】帯状方向に沿って複数の係止部１３を有するレール２と、これを挿通させたスライダ３とを備える。スライダは、スライド枠体２０と、衣類等への取付部３０と、スライド枠体の内部に変位可能に設けられた係止体４０と、スライド枠体の内部に設けられ係止体が係止部に対して係合する方向へ付勢する付勢手段５０と、スライド枠体に移動可能に設けられ係止体と係止部との係合を解除する解除子６０とを有する。スライド枠体は、レールが挿通する挿通孔２１と、この挿通孔を形成する周囲壁とを有する。【選択図】図５
2007154368.tif 000002
【特許請求の範囲】
【請求項１】
レール（２）と、このレール（２）を内部に挿通させたスライダ（３）とを備え、
前記レール（２）は、帯状基体（１１）と、この帯状基体（１１）に設けられた衣類等への取付部（１２）と、前記帯状基体（１１）の片面に帯状方向に沿って間隔を隔てて設けられた複数の係止部（１３）とを有し、
前記スライダ（３）は、前記レール（２）を内部に挿通させたスライド枠体（２０）と、このスライド枠体（２０）に設けられた衣類等への取付部（３０）と、前記スライド枠体（２０）の内部に変位可能に設けられ前記レール（２）の係止部（１３）に係合可能かつ解除可能な係止体（４０）と、前記スライド枠体（２０）の内部に設けられ前記係止体（４０）が前記係止部（１３）に対して係合する方向へ前記係止体（４０）を付勢する付勢手段（５０）と、前記スライド枠体（２０）に移動可能に設けられ移動時に前記係止体（４０）を前記付勢手段（５０）に抗して前記レール（２）の係止部（１３）から離れる方向へ変位させる解除子（６０）とを有し、
前記スライド枠体（２０）は、前記レール（２）が挿通する挿通孔（２１）と、この挿通孔（２１）を形成する周囲壁（２２〜２５）とを有する、ことを特徴とする長さ調節具。
【請求項２】
前記スライド枠体（２０）および前記係止体（４０）のいずれか一方には孔部（２８）が、他方には前記孔部（２８）に回動可能に支持される軸部（４２）が形成され、
前記付勢手段（５０）は、前記係止体（４０）に一体的に形成され、かつ、前記スライド枠体（２０）に連結された弾性片（５１）によって形成され、
前記弾性片（５１）を介して前記スライド枠体（２０）と前記係止体（４０）とが一体成形されていることを特徴とする請求項１に記載の長さ調節具。
【請求項３】
前記係止体（４０）は、基端部が前記スライド枠体（２０）に回動可能に設けられたロック片（４１）と、このロック片（４１）の先端部に設けられ前記レール（２）の係止部（１３）に対して係合するロック爪（４３）とを備え、
前記弾性片（５１）は、前記係止体（４０）とこの係止体（４０）と対向する前記スライド枠体（２０）の周囲壁（２２）内面との間に沿って延長され、基端側が前記係止体（４０）の回動支点から離れた位置に一体的に連結されているとともに、先端側が前記スライド枠体（２０）の周囲壁（２２）内面に一体的に連結されていることを特徴とする請求項２に記載の長さ調節具。
【請求項４】
前記解除子（６０）は、前記スライド枠体（２０）にそのスライド枠体（２０）の内外方向へ進退可能に設けられた進退軸（６１）と、この進退軸（６１）に設けられ前記スライド枠体（２０）の外部に突出する押圧部（６２）と、前記進退軸（６１）に設けられ前記スライド枠体（２０）の挿通孔（２１）内に係合する係合部（６３）と、前記進退軸（６１）に設けられその進退軸（６１）の進出時に前記係止体（４０）を前記レール（２）の係止部（１３）から離れる方向へ変位させる当接部（６４）と、前記押圧部（６２）に押圧力が付与された際弾性変形するとともに押圧部（６２）への押圧力が解除された際前記進退軸（６１）を元の位置へ復帰させる弾性変形部（６５）とを備えていることを特徴とする請求項１〜請求項３のいずれかに記載の長さ調節具。
【請求項５】
前記弾性変形部（６５）は、前記進退軸（６１）からその進退軸（６１）を中心とした両側に延長された一対の弾性脚片（６６）を備え、
前記スライド枠体（２０）の周囲壁（２３，２５）外表面には、前記弾性脚片（６６）の先端を収納しかつ互いに離れる方向へ移動可能にガイドするガイド溝（２７）が形成されていることを特徴とする請求項４に記載の長さ調節具。
【請求項６】
前記解除子（６０）およびガイド溝（２７）は、前記スライド枠体（２０）の周囲壁（２２〜２５）のうち、前記第１周囲壁（２２，２４）と隣接する第２周囲壁（２３，２５）にそれぞれ設けられていることを特徴とする請求項５に記載の長さ調節具。
【請求項７】
前記解除子（６０）は、前記スライド枠体（２０）に設けられた解除子挿入孔（２６）に対して、外部から差し込み可能に構成され、
前記係合部（６３）は、前記進退軸（６１）に対して直交する方向に弾性変形可能に形成され、先端部が前記解除子挿入孔（２６）より小さく、かつ、基端側が前記解除子挿入孔（２６）より大きい形状に形成されていることを特徴とする請求項４〜請求項６のいずれかに記載の長さ調節具。
【発明の詳細な説明】
【技術分野】
【０００１】
本発明は、衣類などの長さ調節具に関する。たとえば、ズボンやスカートのウエスト部分に取り付けられ、これら衣類のウエストサイズを調節できるようにした衣類などの長さ調節具に関する。
【背景技術】
【０００２】
たとえば、ズボンやスカートなどのウエストサイズを調節できるようにしたアジャスターとして、特許文献１に記載のアジャスターや、特許文献２に記載のアジャスターが知られている。
【０００３】
特許文献１に記載のアジャスターは、長手方向に沿って複数の突条を有するガイドレール基帯と、このガイドレール基帯に装着されるスライダとを備える。スライダは、ウエスト帯に取り付けられる取付基体と、この取付基体に一体成形されガイドレール基帯が挿通するトンネル状空間を形成した被冠基体と、この被冠基体のトンネル状空間内に配設された係止体と、この係止体を操作する押動子とから構成されている。
被冠基体のガイドレール基帯と対向する面には、矩形形状の穴部が形成されているとともに、この穴部に臨んで弾性舌片が設けられている。係止体には、突条に係止する係止爪が形成されているとともに、被冠基体の穴部に遊嵌して弾性舌片を弾性変形させる当接背部が形成されている。
【０００４】
ウエストサイズの調節は、押動子を押すと、係止体の係止爪がガイドレール基帯の突条から離れるので、ガイドレール基帯とスライダとを相対的にスライドさせることができる。所望の位置までスライドさせたのち、押動子を離すと、弾性舌片によって係止体がガイドレール基帯の突条へ向かって押し戻されるため、係止体の係止爪がガイドレール基帯の突条に係止される。
【０００５】
特許文献２に記載のアジャスターも、上記と同様に、長手方向に沿って複数の突条を有するガイドレール基帯と、このガイドレール基帯に装着されるスライダとを備える。スライダは、ウエスト帯に取り付けられる取付基体と、この取付基体に一体成形されガイドレール基帯が挿通するトンネル状空間を形成した被冠体と、この被冠体のトンネル状空間内に突出形成された係止部と、この係止部を操作する操作体とから構成されている。
被冠体のガイドレール基帯と対向する面には、矩形形状の穴部が形成されているとともに、この穴部に臨んで弾性板部が設けられている。弾性板部には、自由端に前記係止部が形成されているとともに、操作杆に押し上げられるテーパ面が形成されている
【０００６】
ウエストサイズの調節は、操作杆をガイドレール基帯の長手方向へスライドさせると、弾性板部の係止部がガイドレール基帯の突条から離れるので、ガイドレール基帯に対してスライダをスライドさせることができる。所望に位置までスライドさせたのち、操作杆を離すと、弾性板部によって係止部がガイドレール基帯の突条へ向かって変位するため、係止部がガイドレール基帯の突条に係止される。
【０００７】
【特許文献１】特開２００１−１３１８１６号公報
【特許文献２】特開平１１−２４７０１２号公報
【発明の開示】
【発明が解決しようとする課題】
【０００８】
特許文献１および特許文献２に記載のアジャスターでは、被冠基体（被冠体）のガイドレール基帯と対向する面に、穴部や、この穴部に臨んで弾性片あるいは弾性板部が設けられているため、これらにズボンやスカートなどの生地が引っ掛かってしまうことが考えられる。つまり、ズボンやスカートなどの生地が穴部に入り込み弾性片や弾性板部との間に挟まってしまい、これらの生地を傷めることが考えられる。
【０００９】
本発明の目的は、このような長さ調節具が取り付けられる生地を傷めにくい長さ調節具を提供することにある。
【課題を解決するための手段】
【００１０】
本発明の長さ調節具は、レールと、このレールを内部に挿通させたスライダとを備え、前記レールは、帯状基体と、この帯状基体に設けられた衣類等への取付部と、前記帯状基体の片面に帯状方向に沿って間隔を隔てて設けられた複数の係止部とを有し、前記スライダは、前記レールを内部に挿通させたスライド枠体と、このスライド枠体に設けられた衣類等への取付部と、前記スライド枠体の内部に変位可能に設けられ前記レールの係止部に係止可能かつ解除可能な係止体と、前記スライド枠体の内部に設けられ前記係止体が前記係止部に対して係合する方向へ前記係止体を付勢する付勢手段と、前記スライド枠体に移動可能に設けられ移動時に前記係止体を前記付勢手段に抗して前記レールの係止部から離れる方向へ変位させる解除子とを有し、前記スライド枠体は、前記レールが挿通する挿通孔と、この挿通孔を形成する周囲壁とを有する、ことを特徴とする。
【００１１】
この構成において、レールとスライダのそれぞれの取付部を長さ調節可能に構成した衣類、例えば、ウエストサイズを調節可能に構成したズボンの長さ調節部分、つまり、ウエスト部分の一部を互いに重なり合わせた内側ウエスト帯と外側ウエスト帯とに取り付ける。
ウエストサイズを調節するには、解除子を移動させる。すると、係止体が付勢手段に抗してレールの係止部から離れる方向へ変位され、レールの係止部と係止体との係合状態が解除されるから、この状態において、レールとスライダとをレールの帯状方向に沿ってスライドさせる。このスライドによって、ウエストサイズを所望のサイズに調節したのち、解除子が元の位置に復帰すると、付勢手段によって、係止体がレールの係止部に対して係合する方向へ付勢されるため、係止体とレールの係止部とが係合される。つまり、レールとスライダとのスライドが規制される。
【００１２】
この発明によれば、スライド枠体の内部に、レールの係止部に係合可能かつ解除可能な係止体と、この係止体を係止部に対して係合する方向へ付勢する付勢手段とが設けられ、つまり、これらがスライド枠体の周囲壁を貫通して外部に露出していないから、解除子の移動時、あるいは、レールとスライダとのスライド時にも、ズボンの生地が引っ掛かることが少ないので、生地を傷めにくいという効果がある。
【００１３】
本発明の長さ調節具において、前記スライド枠体および前記係止体のいずれか一方には孔部が、他方には前記孔部に回動可能に支持される軸部が形成され、前記付勢手段は、前記係止体に一体的に形成され、かつ、前記スライド枠体に連結された弾性片によって形成され、前記弾性片を介して前記スライド枠体と前記係止体とが一体成形されていることが好ましい。
この発明によれば、係止体は、スライド枠体に対して、孔部と軸部とによって回動可能に支持され、しかも、係止体とスライド枠体とは、付勢手段を構成する弾性片を介して連結され、かつ、一体成形されているから、係止体に対して大きな引っ張り荷重が作用しても、係止体がスライド枠体から外れることが少なく、高強度な長さ調節具を提供できる。
【００１４】
従来、係止体をスライド枠体に対して、孔部と軸部とによって回動可能に支持する構造の場合、例えば、スライド枠体に一対の孔部を、係止体にこれらの孔部に嵌合する軸部を形成し、係止体をスライド枠体に差し込んで組み立てる。そのため、孔部間の間隔に対して軸部間の距離を大きくし過ぎると、これらを嵌合させることができないため、これらの寸法差を比較的小さく設定せざるを得ない。
本発明では、係止体とスライド枠体とが、付勢手段を構成する弾性片を介して連結され、かつ、一体成形されているから、これらの寸法差を大きく取ることができる。従って、係止体に対して大きな引っ張り荷重が作用しても、係止体がスライド枠体から外れることが少なく、高強度な長さ調節具を提供できる。
また、係止体、スライド枠体および弾性片を一体成形できるから、製造工程も簡易化できるとともに、部品点数も少なくなるので、組立工数も削減でき、低コスト化が実現できる。
【００１５】
本発明の長さ調節具において、前記係止体は、基端部が前記スライド枠体に回動可能に設けられたロック片と、このロック片の先端部に設けられ前記レールの係止部に対して係合するロック爪とを備え、前記弾性片は、前記係止体とこの係止体と対向する前記スライド枠体の周囲壁内面との間に沿って延長され、基端側が前記係止体の回動支点から離れた位置に一体的に連結されているとともに、先端側が前記スライド枠体の周囲壁内面に一体的に連結されていることが好ましい。
この発明によれば、付勢手段を構成する弾性片が、係止体とこれと対向するスライド枠体の周囲壁内面との間に沿って延長され、基端側が係止体の回動支点から離れた位置に一体的に連結されているとともに、先端側がスライド枠体の周囲壁内面に一体的に連結されているから、弾性片の弾性変形による反力が、係止体の回動支点から離れた位置に作用する。すると、係止体は、回動支点を中心とする回転モーメントによって、係止体の先端側のロック爪がレールの係止部に対して係合するため、係止体とレールの係止部との係合が確実になる。
【００１６】
本発明の長さ調節具において、前記解除子は、前記スライド枠体にそのスライド枠体の内外方向へ進退可能に設けられた進退軸と、この進退軸に設けられ前記スライド枠体の外部に突出する押圧部と、前記進退軸に設けられ前記スライド枠体の挿通孔内に係合する係合部と、前記進退軸に設けられその進退軸の進出時に前記係止体を前記レールの係止部から離れる方向へ変位させる当接部と、前記押圧部に押圧力が付与された際弾性変形するとともに押圧部への押圧力が解除された際前記進退軸を元の位置へ復帰させる弾性変形部とを備えていることが好ましい。
この発明によれば、進退軸の押圧部を押圧すると、弾性変形部が弾性変形されながら、進退軸が進出される。すると、進退軸に設けられた当接部が、係止体をレールの係止部から離れる方向へ変位させるから、この状態において、レールとスライダとをレールの帯状方向に沿ってスライドさせることができる。押圧部への押圧力を解除すると、弾性変形部が弾性復帰し、進退軸を元の位置へ復帰させるから、係止体がレールの係止部に向かって変位され、係止体とレールの係止部とが係合される。つまり、押圧部への押圧力を解除すると、弾性変形部が弾性復帰し、進退軸が元の位置へ復帰するから、係止体とレールの係止部との係合が確実になる。
【００１７】
本発明の長さ調節具において、前記弾性変形部は、前記進退軸からその進退軸を中心とした両側に延長された一対の弾性脚片を備え、前記スライド枠体の周囲壁外表面には、前記弾性脚片の先端を収納しかつ互いに離れる方向へ移動可能にガイドするガイド溝が形成されていることが好ましい。
この発明によれば、弾性変形部は、進退軸から両側に延長された一対の弾性脚片を備え、スライド枠体の周囲壁外表面には、弾性脚片のガイド溝が形成されているから、進退軸の押圧部を押圧すると、一対の弾性脚片がガイド溝に沿って弾性変形していくため、一対の弾性脚片の弾性変形を円滑に実行させることができる。しかも、これら一対の弾性脚片がスライド枠体の周囲壁外表面を覆うから、進退軸が挿入される解除子挿入孔も覆うことができ、この孔に生地などが引っ掛かることも防げる。
【００１８】
本発明の長さ調節具において、前記解除子およびガイド溝は、前記スライド枠体の周囲壁のうち、前記第１周囲壁と隣接する第２周囲壁にそれぞれ設けられていることが好ましい。
この発明によれば、解除子およびガイド溝は、スライド枠体の第１周囲壁と隣接する第２周囲壁にそれぞれ設けられているから、係止体を挟んだ両側から、解除子の力を付与できる。従って、係止体を傾くことなく変位させることができる。
【００１９】
本発明の長さ調節具において、前記解除子は、前記スライド枠体に設けられた解除子挿入孔に対して、外部から差し込み可能に構成され、前記係合部は、前記進退軸に対して直交する方向に弾性変形可能に形成され、先端部が前記解除子挿入孔より小さく、かつ、基端側が前記解除子挿入孔より大きい形状に形成されていることが好ましい。
この発明によれば、解除子をスライド枠体に設けられた解除子挿入孔に対して挿入すると、係合部は、挿入されるに従って、進退軸に対して直交する方向に弾性変形されながら挿入されていき、基端側が解除子挿入孔を通過した際、元の大きさに復元するので、つまり、基端側が解除子挿入孔より大きくなるので、解除子挿入孔に対して係止される。従って、解除子をスライド枠体に設けられた解除子挿入孔に対して挿入するだけで、解除子をスライド枠体に組み込むことができる。
【発明を実施するための最良の形態】
【００２０】
以下、本発明の実施形態を図面に基づいて説明する。
本実施形態は、本発明の長さ調節具をズボンのウエストサイズ調節機構に適用した例である。図１は本実施形態の長さ調節具を適用したズボンの側面図、図２はその平面図である。図３は本実施形態の長さ調節具の斜視図、図４は本実施形態の長さ調節具の一部を破断した図、図５は図４のＶ−Ｖ線断面図、図６は図５のVI−VI線断面図、図７は図５において係止体が変位した状態を示す図、図８は図７のVIII−VIII線断面図である。
【００２１】
本実施形態で用いるズボンは、図１および図２に示すように、ウエスト部分の一部に長さ調節用の重なり部分、具体的には、内側ウエスト帯Ｗ１と外側ウエスト帯Ｗ２との重なり部分が形成されている。
本実施形態の長さ調節具１は、内側ウエスト帯Ｗ１の外面側に取り付けられるレール２と、外側ウエスト帯Ｗ２の内面側に取り付けられレール２を内部にスライド可能に挿通させたスライダ３とを備える。
【００２２】
レール２は、図３〜図５に示すように、帯状基体１１と、この帯状基体１１の両端側に設けられた衣類等への取付部１２と、帯状基体１１の片面に帯状方向に沿って一定間隔を隔てて設けられた複数の係止部１３とを含み、全体がナイロンによって構成されている。
帯状基体１１は、幅寸法が内側ウエスト帯Ｗ１および外側ウエスト帯Ｗ２の幅寸法と同じかこれより狭い寸法で、長さ寸法がウエストサイズの調節長さに相当する長さ寸法を有する帯板状に形成されている。取付部１２は、帯状基体１１の両端部に糸などでズボンの生地に逢着できる逢着部として形成されている。係止部１３は、帯状基体１１の表面から半円状に隆起し、帯状基体１１の幅方向に長い直線状の突条として形成されている。
【００２３】
スライダ３は、図３〜図５に示すように、レール２を内部に挿通させたスライド枠体２０と、このスライド枠体２０に設けられた衣類（ズボン）等への取付部３０と、スライド枠体２０の内部に変位可能に設けられレール２の係止部１３に係合可能かつ解除可能な係止体４０と、スライド枠体２０の内部に設けられ係止体４０がレール２の係止部１３に対して係合する方向へ係止体４０を付勢する付勢手段５０と、スライド枠体２０に移動可能に設けられ移動時に係止体４０を付勢手段５０に抗してレール２の係止部１３から離れる方向へ変位させる解除子６０とを含んで構成されている。ここでは、スライド枠体２０、取付部３０、係止体４０、付勢手段５０がナイロン材料によって一体成形され、解除子６０がポリアセタール材料によって形成されている。
【００２４】
スライド枠体２０は、全体が矩形箱状に形成され、内部に対向する２つの面を貫通する断面矩形状の挿通孔２１を有し、かつ、この挿通孔２１を形成する４つの周囲壁２２，２３，２４，２５を有している。
これら４つの周囲壁２２，２３，２４，２５のうち、レール２の係止部１３が形成された面およびこれと反対側面が対向する一対の第１周囲壁２２，２４は、平坦な壁で塞がれていて、孔などが形成されていない。ここで、第１周囲壁２２，２４には孔などが形成されていないとは、周囲壁２２，２４を貫通する孔が形成されていないことを意味し、凹部や溝などを指す意味ではない。この第１周囲壁２２，２４と隣接する残る一対の第２周囲壁２３，２５には、中央に解除子挿入孔２６が貫通して形成されているとともに、これを中心として両側方向に沿ってガイド溝２７が形成されている。また、片方のガイド溝２７の底面には、ガイド溝２７の溝方向に長く、かつ、孔幅が溝幅よりも狭い孔部２８が貫通形成されている。
【００２５】
取付部３０は、スライド枠体２０の周囲壁２４から、この周囲壁２４の外表面と面一（つらいち）にかつレール２の帯状方向に延長して一体的に形成されている。取付部３０は、スライド枠体２０の周囲壁２４より厚みが薄く形成され、糸などでズボンの生地に逢着できる逢着部として形成されている。
【００２６】
係止体４０は、平板状のロック片４１と、このロック片４１の基端部両側に一体的に突出して設けられスライド枠体２０の孔部２８に回動可能に挿入される軸部４２と、ロック片４１の先端部に設けられレール２の係止部１３に対して係合するロック爪４３とを含んで構成されている。
ロック片４１の幅方向両側には、図６に示すように、その両側から幅方向中心へ向かうに従ってロック爪４３（レール２）側に傾斜するテーパ面４１Ａが形成されている。軸部４２は、孔部２８の内径よりも小さく形成されている。ロック爪４３は、ロック片４１の先端から軸部４２とは反対側へ向かってかつレール２側に接近するように斜めに突出形成さている。
【００２７】
付勢手段５０は、係止体４０に一体的に形成され、かつ、スライド枠体２０に連結された弾性片５１によって形成されている。
弾性片５１は、係止体４０とこの係止体４０と対向するスライド枠体２０の周囲壁２２内面との間に沿って延長され、基端側が係止体４０の回動支点から離れた位置（ここでは、先端のロック爪４３寄り位置）に一体的に連結されているとともに、先端側がロック爪４３より先端側において２箇所の連結部５２を通じてスライド枠体２０の周囲壁２２内面に一体的に連結されている。
【００２８】
解除子６０は、スライド枠体２０の周囲壁２３，２５にそのスライド枠体２０の内外方向へ進退可能に設けられた進退軸６１と、この進退軸６１に設けられスライド枠体２０の外部に突出する押圧部６２と、進退軸６１に設けられスライド枠体２０の挿通孔２１内に係合する係合部６３と、進退軸６１に設けられその進退軸６１の進出時に係止体４０をレール２の係止部１３から離れる方向へ変位させる当接部６４（図６参照）と、押圧部６２に押圧力が付与された際弾性変形するとともに押圧部６２への押圧力が解除された際進退軸６１を元の位置へ復帰させる弾性変形部６５とを含んで構成されている。
【００２９】
係合部６３は、進退軸６１に対して直交する方向に弾性変形可能に形成され、先端部が解除子挿入孔２６より小さく、かつ、基端側が解除子挿入孔２６より大きい形状に形成されている。これにより、解除子６０は、スライド枠体２０に設けられた解除子挿入孔２６に対して、外部から差し込み可能に構成されている。
弾性変形部６５は、進退軸６１からその進退軸６１を中心とした両側に延長された一対の弾性脚片６６を備える。一対の弾性脚片６６の先端は、スライド枠体２０に形成されたガイド溝２７内に収納され、このガイド溝２７に沿って互いに離れる方向および互いに接近する方向に案内されている。
【００３０】
＜組立方法＞
まず、解除子６０をスライド枠体２０に設けられた解除子挿入孔２６に対して挿入する。すると、解除子６０の係合部６３は、解除子挿入孔２６に挿入されるに従って、進退軸６１に対して直交する方向に弾性変形、つまり、縮小されながら挿入されていき、基端側が解除子挿入孔２６を通過した際、元の大きさに復元する。つまり、基端側が解除子挿入孔２６より大きくなるので、解除子挿入孔２６に対して係止される。
【００３１】
このとき、解除子６０の弾性脚片６６は、スライド枠体２０のガイド溝２７内に収まる。従って、これら一対の弾性脚片６６がスライド枠体２０の周囲壁２３，２５の外表面を覆うから、進退軸６１が挿入される解除子挿入孔２６も覆うことができ、この孔に生地などが引っ掛かることも防げる。
また、スライド枠体２０の挿通孔２１内にレール２を挿入する。レール２をスライド枠体２０の挿通孔２１に対して、図５の右側より挿入すると、係止体４０のロック爪４３は、レール２の係止部１３が通過する毎に、レール２から離れる方向へ退避したのち、元の位置に復帰するので、所定位置までレール２を挿入する。
【００３２】
この状態では、スライド枠体２０の内部に、レール２の係止部１３に係合可能かつ解除可能な係止体４０と、この係止体４０を係止部１３に対して係合する方向へ付勢する付勢手段５０とが設けられ、スライド枠体２０の周囲壁２２〜２５のうち、レール２の係止部１３が形成された面およびこれと反対側面が対向する一対の第１周囲壁２２，２４には孔が形成されていないから、解除子６０の操作時、あるいは、レール２とスライダ３とのスライド時にも、ズボンの生地が引っ掛かることが少ないので、生地を傷めにくい。
【００３３】
また、係止体４０とスライド枠体２０とが、付勢手段５０を構成する弾性片５１を介して連結され、かつ、一体成形されているから、これらの寸法差を大きく取ることができる。従って、係止体４０に対して大きな引っ張り荷重が作用しても、係止体４０がスライド枠体２０から外れることが少なく、高強度な長さ調節具を提供できる。
また、係止体４０、スライド枠体２０および弾性片５１を一体成形できるから、製造工程も簡易化できるとともに、部品点数の少なくなるので、組立工数も削減でき、低コスト化が実現できる。
【００３４】
＜使用方法＞
レール２とスライダ３のそれぞれの取付部１２，３０を、ウエストサイズを調節可能に構成したズボンの長さ調節部分に取り付ける。ここでは、レール２の取付部１２を内側ウエスト帯Ｗ１に、また、スライダ３の取付部３０を外側ウエスト帯Ｗ２にそれぞれ逢着する。
【００３５】
ウエストサイズの調節にあたっては、上下の解除子６０を互いに接近する方向へ押圧する。すると、解除子６０の弾性脚片６６が弾性変形されながら、進退軸６１がスライド枠体２０内に進出される。このとき、スライド枠体２０の周囲壁２３，２５には、弾性脚片６６をガイドするガイド溝２７が形成されているから、進退軸６１の進出に伴って、一対の弾性脚片６６がガイド溝２７に沿って弾性変形されていくから、一対の弾性脚片６６の弾性変形を円滑に行わせることができる。
【００３６】
やがて、進退軸６１に設けられた当接部６４が、係止体４０のテーパ面４１Ａに当接すると、図７および図８に示すように、係止体４０を弾性片５１に抗してレール２から離れる方向へ変位させる。これにより、レール２の係止部１３と係止体４０との係合状態が解除される。この状態において、レール２とスライダ３とをレール２の帯状方向に沿ってスライドさせれば、ウエストサイズを任意のサイズに調節することができる。
【００３７】
ウエストサイズを調節したのち、解除子６０の押圧を解除すると、弾性脚片６６が弾性復帰し、進退軸６１を元の位置へ復帰させる。また、弾性片５１によって、係止体４０がレール２に接近する方向へ回動付勢されるため、係止体４０とレール２の係止部１３とが係合される。つまり、レール２とスライダ３とのスライドが規制される。
【００３８】
＜変形例＞
本発明は前述の実施形態に限定されるものではなく、本発明の目的を達成できる範囲での変形、改良等は本発明に含まれる。
前記実施形態では、弾性片５１が、係止体４０とこの係止体４０と対向するスライド枠体２０の周囲壁２２内面との間に沿って延長され、基端側が係止体４０の先端ロック爪４３寄り位置に一体的に連結されているとともに、先端側がロック爪４３より先端側において２箇所の連結部５２を通じてスライド枠体２０の周囲壁２２内面に一体的に連結された構成であったが、これに限らず、図９あるいは図１０に示す構成であってもよい。
【００３９】
図９に示す構成では、弾性片５１の基端側が係止体４０の回動支点と先端側との略中間位置に連結され、弾性片５１の先端側が、スライド枠体２０の周囲壁２２内面で係止体４０の回動支点近傍位置に連結されている。
図１０に示す構成では、弾性片５１の基端側が、係止体４０の回動支点寄り位置に連結され、弾性片５１の先端側が、スライド枠体２０の周囲壁２２内面で係止体４０の先端側寄り位置に連結されている。
これらによっても、前記実施形態と同様な効果が期待できる。
【００４０】
前記実施形態では、スライド枠体２０と係止体４０とを、付勢手段５０を構成する弾性片５１を介して連結し、かつ、これらを一体成形したが、これらを別体として成形し、組み立てるようにしてもよい。
この場合、付勢手段５０については、弾性片５１でなくてもよく、例えば、板ばねやコイルばね、あるいは、ゴムなどの弾性体であってもよい。
【００４１】
前記実施形態では、スライド枠体２０に孔部２８を設け、係止体４０に孔部２８に回動可能に嵌合する軸部４２を設けたが、これとは逆であってもよい。つまり、スライド枠体２０に軸部を設け、係止体４０に孔部を設けるようにしてもよい。このようにすれば、スライド枠体２０の外表面に孔が形成されないため、より生地が引っ掛かりにくい構成にできる。
また、係止体４０は、スライド枠体２０に対して回動自在な構成でなくてもよく、スライドなど変位可能な構成であればよい。
【００４２】
前記実施形態では、レール２の両端側に取付部１２を形成したが、一端側のみでもよい。同様に、スライダ３の取付部３０についても、スライド枠体２０の周囲壁２４の外表面を取付部としてもよい。
また、取付部３０の取付方法としては、前記実施形態で説明した逢着部に限らず、他の方法であってもよい。例えば、リベットなどでかしめて固定してもよく、あるいは、接着などで固定するようにしてもよい。
【００４３】
前記実施形態では、レール２の片面側に設けた係止部１３を、断面半円状の突条としたが、例えば、鋸歯状の係止部でもよく、あるいは、突起などではなく、レール２の幅方向に延びる直線状スリット溝をレール２の帯状方向（長手方向）に沿って一定ピッチ間隔で配列してもよい。また、係止部１３の間隔は、一定ピッチ間隔でなくてもよく、不等間隔であってもよい。
【００４４】
前記実施形態では、スライド枠体２０の周囲壁２３，２５に解除子６０を設けたが、必ずしも、両側に設けなくてもよい。つまり、片側１箇所のみ設けるようにしてもよい。
また、解除子６０は、スライド枠体２０に対して内外方向へ進退可能に設けられていたが、必ずしも、スライド枠体２０に対して内外方向へ進退可能な構成でなくてもよく、例えば、スライド枠体２０に対してレール２の帯状方向（長手方向）へスライド可能に設けられていてもよく、要は、移動できる構成であればよい。この場合、解除子６０のスライド等の移動に伴って、係止体４０が付勢手段５０に抗してレール２の係止部１３から離れる方向へ変位できるように構成すればよい。
【産業上の利用可能性】
【００４５】
本発明は、ズボンやスカートなどのウエストサイズの調節機構の他、衣類一般の長さ調節具として利用できる。
【図面の簡単な説明】
【００４６】
【図１】本発明の長さ調節具をウエストサイズ調節機構に適用した例を示す側面図。
【図２】前記実施形態の平面図。
【図３】前記実施形態の長さ調節具の斜視図。
【図４】前記実施形態の長さ調節具の一部を破断した図。
【図５】図４のＶ−Ｖ線断面図。
【図６】図５のVI−VI線断面図。
【図７】図５において係止体が変位した状態を示す図。
【図８】図７のVIII−VIII線断面図。
【図９】本発明の変形例を示す断面図。
【図１０】本発明の他の変形例を示す断面図。
【符号の説明】
【００４７】
１…長さ調節具、２…レール、３…スライダ、１１…帯状基体、１２…取付部、１３…係止部、２０…スライド枠体、２１…挿通孔、２２〜２５…周囲壁、２６…解除子挿入孔、２７…ガイド溝、２８…孔部、３０…取付部、４０…係止体、４１…ロック片、４１Ａ…テーパ面、４２…軸部、４３…ロック爪、５０…付勢手段、５１…弾性片、５２…連結片、６０…解除子、６１…進退軸、６２…押圧部、６３…係合部、６４…当接部、６５…弾性変形部、６６…弾性脚片、Ｗ１…内側ウエスト帯、Ｗ２…外側ウエスト帯。      
【図１】
2007154368.tif 000003
【図２】
2007154368.tif 000004
【図３】
2007154368.tif 000005
【図４】
2007154368.tif 000006
【図５】
2007154368.tif 000007
【図６】
2007154368.tif 000008
【図７】
2007154368.tif 000009
【図８】
2007154368.tif 000010
【図９】
2007154368.tif 000011
【図１０】
2007154368.tif 000012